(57)【要約】【課題】光学機器のレンズ位置を検出する際に、光漏れの心配が無く撮影品位に影響の無い鏡筒内遮光構造を持つレンズ鏡筒の提供すること。【解決手段】鏡筒内で光軸に沿って移動可能なレンズと、前記レンズを保持するレンズ保持部材と、前記レンズの光軸方向位置を検出する位置検出手段と、一端を鏡筒に他端をレンズ保持部材に固定された可撓性及び遮光性を有するシート部材とを有し、前記位置検出手段は発光素子と該発光素子からの光を反射する反射板から構成され、前記シート部材は前記レンズ保持部材と前記鏡筒の間に設けられるとともに折り返し部を有し、該折り返し部は位置検出手段の光軸方向延長線上に位置し、且前記位置検出手段の光軸方向後端部よりも撮像面側に形成されるように構成されることを特徴とする。【選択図】図１
2016173448.tif 000002
【特許請求の範囲】
【請求項１】
鏡筒内で光軸に沿って移動可能なレンズと、
前記レンズを保持するレンズ保持部材と、
前記レンズの光軸方向位置を検出する位置検出手段と、
一端を鏡筒に他端をレンズ保持部材に固定された可撓性及び遮光性を有するシート部材とを有し、前記位置検出手段は発光素子と該発光素子からの光を反射する反射板から構成され、
前記シート部材は前記レンズ保持部材と前記鏡筒の間に設けられるとともに折り返し部を有し、該折り返し部は位置検出手段の光軸方向延長線上に位置し、且前記位置検出手段の光軸方向後端部よりも撮像面側に形成されるように構成されることを特徴とする鏡筒内遮光構造を持つレンズ鏡筒。
【請求項２】
前記シート部材の両側面部には鏡筒から延設された側壁と該側壁先端に形成された突部が形成され、該突部の幅と前記シート部材側面部の幅はシート部材の幅の方が広くなるように形成していることを特徴とする請求項１に記載の鏡筒内遮光構造を持つレンズ鏡筒。
【請求項３】
前記突部と、前記シート部材は、レンズ保持部材に形成されたシート部材取り付け部のほうが前記突部よりも光軸直角方向で光軸よりも遠い位置に形成されていることを特徴とする請求項１又は請求項２に記載の鏡筒内遮光構造を持つレンズ鏡筒。
【発明の詳細な説明】
【技術分野】
【０００１】
本発明は、遮光構造を持つレンズ鏡筒に関する。
【背景技術】
【０００２】
レンズ鏡筒内で光軸に沿って駆動されるレンズの光軸方向位置を判別するセンサーには投光素子から投射された光を反射スケールで反射し、その反射光を受光素子で受光しレンズの光軸方向を判別する方法が知られている（特許文献１参照）。
【０００３】
特許文献１に開示された従来技術では、２つのレンズ枠の位置を検出する位置検出手段で、お互いの投光素子からの光線漏れによる誤測距を回避するため、投光素子の間に遮光壁３ｇを形成して光漏れを遮断するように構成されていた。
【先行技術文献】
【特許文献】
【０００４】
【特許文献１】特開２００９−２０４９４１号公報
【発明の概要】
【発明が解決しようとする課題】
【０００５】
上記の従来技術のような構成であれば、隣り合う位置検出手段同士の光漏れを防止し精度よくレンズ枠の位置を検出する事は可能である。
【０００６】
しかしながら上記従来技術に於いては、撮像面への投光素子からの光漏れ及びその防止策に関する技術的な開示はなされていない。この為撮像面への光漏れが発生し撮影画像の品位に影響を及ぼすという問題が発生する。
【０００７】
そこで、本発明の目的は、光学機器のレンズ位置を検出する際に、光漏れの心配が無く撮影品位に影響の無い鏡筒内遮光構造を持つレンズ鏡筒を提供することにある。
【課題を解決するための手段】
【０００８】
上記の目的を達成するために、本発明の鏡筒内遮光構造を持つレンズ鏡筒は、鏡筒内で光軸に沿って移動可能なレンズと、前記レンズを保持するレンズ保持部材と、前記レンズの光軸方向位置を検出する位置検出部材と、一端を鏡筒に他端をレンズ保持部材に固定された可撓性及び遮光性を有するシート部材とを有し、前記位置検出部材は発光素子から構成され、前記シート部材は前記レンズ保持部材と前記鏡筒の間に収納されるとともに、該シート部材は折り返し部を有し、該折り返し部は位置検出部材の光軸方向延長線上に位置し、且前記位置検出部材の光軸方向後端部よりも撮像面側に形成されるように構成されることを特徴とする。
【発明の効果】
【０００９】
本発明によれば、光学機器のレンズ位置を検出する際に、光漏れの心配が無く撮影品位に影響の無い鏡筒内遮光構造をもつレンズ鏡筒の提供を実現できる。
【図面の簡単な説明】
【００１０】
【図１】本発明の鏡筒内遮光構造を持つレンズ鏡筒の要部斜視図
【図２】本発明の鏡筒内遮光構造を持つレンズ鏡筒の組立状態を表す要部断面図
【図３】本発明の鏡筒内遮光構造を持つレンズ鏡筒の組立状態を表す要部断面図
【図４】本発明の鏡筒内遮光構造を持つレンズ鏡筒の要部断面図（図３中Ｂ−Ｂ断面））
【発明を実施するための形態】
【００１１】
以下に、本発明の好ましい実施の形態を、添付の図面に基づいて詳細に説明する。
【実施例１】
【００１２】
図１は本発明の鏡筒内遮光構造を持つレンズ鏡筒の要部斜視図である。
【００１３】
１はレンズ２を保持するレンズ保持部材である。３は第一のガイドバー、４は第二のガイドバーで、前記レンズ保持部材１の被係合穴部１ａおよび回転止めＵ字溝部１ｂにそれぞれ摺動自在に係合し、前記レンズ保持部材を公知の駆動手段により光軸(図１参照)に沿って移動可能にガイドする。５は位置検出手段１０１の一部を成す反射板で、レンズ保持部材１の反射板取り付け部１ｃに固着されている。
【００１４】
６は位置検出手段１０１の一部を成す発光素子である。該位置検出手段の発光素子６から投射された光は前記反射板５で反射され、図外の受光素子で受光され前記レンズ２の光軸方向位置を判別する事が出来るように構成される。具体的には前記反射板５は細かいピッチの高反射率部と光をほぼ反射しない低反射率部により構成され、前記レンズ２が光軸に沿って図外の駆動源により駆動される際、上述反射板５で反射された反射光はパルス状に受光素子に受光され、このパルス数をカウントすることでレンズ２の光軸方向位置を検出する事が可能である。この検出方法は上記方法に限られたものではなく、反射板に形成された反射部の面積により反射率を可変にし、反射光の強度によりレンズの光軸方向位置を検出する方法等も可能である。
【００１５】
７は鏡筒で、前述第一のガイドバー３，第二のガイドバー４の一端３ａ、４ａおよび前述発光素子６が決められた位置に固定される。また上記、第一のガイドバー３，第二のガイドバー４の他端側３ｂ、４ｂ、蓋部材８により保持され、該蓋部材８が鏡筒７にネジなど公知の締結手段によりで固定されることで、両持ち支持され安定してレンズ保持部材１を光軸方向移動可能に保持することを可能としている。
【００１６】
この時、可撓性及び遮光性を有するシート部材９の一端部９ａはレンズ保持部材１の固定部１ｄに接着等により固定され、他端部９ｂは上述鏡筒７の固定部７ａ（図２参照）に接着等により固定される。上述説明した構成により本発明のレンズ駆動装置が完成する。
【００１７】
図２は本発明の鏡筒内遮光構造を持つレンズ鏡筒の組立状態を表す要部断面図である。図１において説明した構成部品には図１と同一番号を付与してある。
【００１８】
組立状態においてシート部材９は鏡筒７とレンズ保持部材１との間で形成された空間部分に組み込まれ、前述の通り一端部９ａをレンズ保持部材１の固定部１ｄに、他端部９ｂを鏡筒７の固定部７ａに接着等により固定される。そして該シート部材９は折り返し部９ｃが、前述位置検出手段１０１を構成する発光素子６及び反射板５に対して光軸方向延長線上（図中記載）で撮像素子１０側に位置するように折り曲げられて配置される。さらに詳しくは、位置検出手段１０１を構成する反射板５の光軸方向後端部５ａよりも撮像素子１０側に位置するように配置されている。
【００１９】
鏡筒７に対するレンズ保持部材１及びレンズ２の光軸方向位置の判別は前述の通り、例えば以下のようにして行われる。図外の基板などに実装された状態で、鏡筒７に固定された発光素子６から発光された光がレンズ保持部材１に固定された反射板５に反射され、その反射光が図外の受光素子に受光される。
【００２０】
前述したとおり例えば反射板には微小ピッチの高反射率部と低反射率部が交互に配置されている時、受光部で検出される反射光の明暗パターンの数をカウントすることで、鏡筒７に対する保持部材１及びレンズ２の光軸方向相対位置を判別する事が出来る。鏡筒７に対する基準となるリセット位置を例えば公知のリセットスイッチやフォトインタラプタなどの位置検出手段で予め検出しておくことで、鏡筒７に対する保持部材１及びレンズ２の光軸方向絶対位置も判別する事が可能となる。
【００２１】
以上のようにしてレンズ保持部材１及びレンズ２の光軸方向位置の判別が行われるが、次に本発明の趣旨である鏡筒内遮光構造について詳述する。
【００２２】
図２に於いて発光素子６から射出された光は図２中ａの方向にも照射される。この時、この光を遮るものが無いと、該光は撮像素子１０に到達し撮影画像に重大な影響を及ぼすこととなる。しかしながらこの時、前述シート部材９が前記位置検出手段１０１の光軸延長線上後方（図中Ａ方向）に折り返し部を有して配置されているため、射出光ａは該遮光シート９の折り返し部９ａで遮断されてそれ以上撮像素子１０の方向へ進むことは無くなる。これにより撮影画像に影響を与える光を遮断し撮影品位の高い撮影画像を取得する事が可能となる。
【００２３】
図３はレンズ保持部材１及びレンズ２が光軸後方に移動した状態を表す要部断面図である。図１及び図２において説明した構成部品には図１と同一番号を付与してある。
【００２４】
図に示す通りレンズ保持部材１及びレンズ２は図２の位置に対して光軸延長線上後方（図中Ａ方向）に図外の駆動源により駆動され停止している。この時前記シート部材９の折り返し部９ｃは図２に於いてはレンズ保持部材１のシート受け部１ｅの光軸後方端部１ｆの位置とほぼ同じ位置に有ったものが図３に於いてはレンズ保持部材１及びレンズ２の光軸方向移動に伴ってその位置が相対的に変化して図３に示す位置まで移動している。この時の折り返し部の移動距離は前記レンズ保持部材１及びレンズ２の移動距離の１／２だけ移動する。
【００２５】
このようにして、レンズ保持部材１及びレンズ２が光軸方向に移動してもシート部材９の折り返し部９ｃが常に位置検出手段１０１、さらに詳しくは位置検出手段を構成する反射板５の光軸方向後端部５ａよりも、撮像素子１０側に位置するように構成できるので、撮影領域全域に渡り前記位置検出手段１０１を構成する発光素子６からの光による影響を阻止し、撮影品位の高い撮影画像が取得可能となる。
【００２６】
図４は本発明の鏡筒内遮光構造を示す要部断面図（図３中Ｂ−Ｂ断面）である。
【００２７】
この断面で示すように前記シート部材９の両側面部９ｄには鏡筒７から延設された側壁７ｄとその先端から内側、シート部材の方向へ突き出す突部７ｅが形成されている。該突部７ｅ先端部７ｆの幅とシート部材９の側部９ｄとの幅は、シート部材９の幅の方が広くなるように構成されている。その結果図４中に示すように左右方向の重なり量ｃはいわゆるインロー構成となり、前述位置検出部材６の発光部から照射された光が側壁７ｄの内側面に反射して図３中下方向へ直接漏れだすことを防止している。また前述の通りレンズ保持部材１のシート部材受け部１ｅと前記突部７ｅの顎部７ｇの光軸直角方向高さの関係は、図４に示す通り前記突状７ｅの顎部７ｇの高さｂよりもｃだけレンズ保持部材１のシート部材受け部１ｅの方が高く（遠く）なるように設定されている。
【００２８】
この結果、レンズ保持部材１及びレンズ２が光軸方向に移動する際、前記シート部材９が前記顎部７ｇと干渉し、シート部材が変形及び座屈して上述遮光性能を損なうことのないように折り返し部の形状を安定して保つことを可能としている。
【００２９】
以上、本発明に関わる鏡筒内遮光構造に関してその具体例を詳述したが、本発明は上記実施例に限定されるものではなく、請求項記載の範囲に示したものであればどのような形態をとることも可能である。
【符号の説明】
【００３０】
１０１  位置検出手段、１  レンズ保持部材、２  レンズ、３，４  ガイドバー、
５  反射板、６  発光素子、７  鏡筒、８  蓋部材、９  シート部材、１０  撮像素子
【図１】
2016173448.tif 000003
【図２】
2016173448.tif 000004
【図３】
2016173448.tif 000005
【図４】
2016173448.tif 000006